(57)【要約】【課題】防塵性、強度、伝動の安定性とスムーズ性、耐久性に優れたチェーンの提供。【解決手段】各チェーンユニット３１が、２個のローラー３１１、ローラー３１１を通るブッシュ３１２、ブッシュ３１２の両端部に枢設した内プレート３１３、ブッシュ３１２及び内プレート３１３に通したピン３１４を有し、隣り合うチェーンユニット３１を跨いで内プレート３１３の外側に設置した外プレート３２をピン３１４に枢設し、内プレート３１３に、２個の内開孔３１３１、内開孔３１３１の周縁に沿って起立した接合部３１３２、接合部３１３２の周囲に接合槽３１３３を設け、外プレート３２に、２個の外開孔３２１、外開孔３２１の周縁に沿って外へ突出した収容部３２２、収容部３２２の内面に設置される収容空間３２３、収容空間３２３の周囲に定位部３２４を設け、収容空間３２３に接合部３１３２を収容して包み、接合槽３１３３と定位部３２４とが密着する。【選択図】図２
0003213702.tif 000002
【実用新案登録請求の範囲】
【請求項１】
チェーンであって、複数のチェーンユニットが相互に接続して形成され、
前記各チェーンユニットは、並列する２個のローラー、前記各ローラー内をそれぞれ通って設置される２個のブッシュ、前記各ブッシュの両端部にそれぞれ枢設される２個の内プレート、及び前記各ブッシュ及び前記各内プレートにそれぞれ通して設置される２個のピンを有し、
前記任意の２個の隣り合うチェーンユニットの外側には、これら２個のチェーンユニットを跨いで、前記内プレートの相対する端部にそれぞれ定位される２個の外プレートを設置し、前記各外プレートは、隣り合う内プレートに設置され、しかも前記各ピンにそれぞれ枢設され、
前記各内プレートには、前記ブッシュを挿通する２個の内開孔、前記各内開孔の周縁に沿って外へと突出し、且つ、前記内プレートの外側の表面に形成される２個の接合部、及び前記各接合部の周囲に形成される接合槽を設け、
前記各外プレートには、前記ピンを挿通する２個の外開孔、前記各外開孔の周縁に沿って外へと突出し、且つ、前記外プレートの外側の表面に形成される２個の収容部、前記各収容部に相対し、且つ、前記外プレートの内側の表面に陥没状に設置される２個の収容空間、及び前記各収容空間の周囲に形成される定位部を設け、
前記各収容空間に前記各接合部を収容して包み、前記接合槽と定位部とが密着する
ことを特徴とするチェーン。
【考案の詳細な説明】
【技術分野】
【０００１】
本考案は、優れた防塵性及び構造強度を有し、伝動安定性、スムーズ性を高められ、使用寿命を延長できるチェーンに関する。
【背景技術】
【０００２】
本考案の出願人は、先に、粉塵を防ぐチェーン構造を特許文献１として提案した。
図１に示すように、上記従来のチェーン１は、複数のチェーンユニット１１が相互に接続して形成される。
各チェーンユニット１１は、２個のローラー１１１、各ローラー１１１内にそれぞれ設置される２個のブッシュ１１２、各ブッシュ１１２の両端に嵌めて設置される２個の内プレート１１３、及び各ローラー１１１及び内プレート１１３にそれぞれ通して設置される２個のピン１１４を有する。
任意の２個の隣り合う内プレート１１３の外側には、それぞれ外プレート１２を設置し、しかも各外プレート１２は、各ピン１１４にそれぞれ枢設される。
内プレート１１３には、２個の内開孔１１３１、及び各内開孔１１３１の周縁から起立する２個のフランジ１１３２を開設する。
各外プレート１２の周縁には、内側へ屈曲した凸出部１２１を突出する。
凸出部１２１により、各フランジ１１３２を包んで定位し、粉塵を防ぐ効果を達成する。
【０００３】
上記従来のチェーン１を実際に使用した時、以下の事態に気付いた。
従来のチェーン１は、外プレート１２の凸出部１２１で、内プレート１１３のフランジ１１３２に蓋をすることで、内、外プレート１１３、１２間の間隙から粉塵が進入して溜まることを防止する。
しかし、凸出部１２１は、フランジ１１３２の一部を包むだけなので、外プレート１２と内プレート１１３間には、一部の間隙が存在している。
そのため、長く使用すると、いくらかの微粉塵が間隙からチェーン１内に進入して溜まる現象が起きる。
これがチェーン１の伝動スムーズ性と使用寿命に悪影響を及ぼすことがある。
【先行技術文献】
【特許文献】
【０００４】
【特許文献１】台湾特許第４１２６２４号明細書
【考案の概要】
【考案が解決しようとする課題】
【０００５】
前記特許文献１に記載されたチェーン構造は、外プレートと内プレート間に間隙が存在しているため、長く使用すると、いくらかの微粉塵がチェーン内に進入して溜まるという欠点がある。
本考案が解決しようとする課題は、上述の問題を解決し、優れた防塵性を備え、同時に全体の構造強度と伝動の安定性及びスムーズ性を高められ、チェーンの使用寿命を延長できるチェーンを提供することにある。
【課題を解決するための手段】
【０００６】
本考案のチェーンは、複数のチェーンユニットが相互に接続して形成される。
前記各チェーンユニットは、並列する２個のローラー、前記各ローラー内をそれぞれ通って設置される２個のブッシュ、前記各ブッシュの両端部にそれぞれ枢設される２個の内プレート、及び前記各ブッシュ及び前記各内プレートにそれぞれ通して設置される２個のピンを有する。
前記任意の２個の隣り合うチェーンユニットを跨いで、前記内プレートの相対する端部にそれぞれ定位される２個の外プレートを設置し、前記各外プレートは、隣り合う内プレートの外側に設置され、前記各ピンにそれぞれ枢設される。
前記各内プレートには、ブッシュを挿通する２個の内開孔、前記各内開孔の周縁に沿って外へと突出し、且つ、前記内プレートの外側の表面に形成される２個の接合部、及び前記各接合部の周囲に形成される接合槽を設ける。
前記各外プレートには、ブッシュ及びピンを挿通する２個の外開孔、前記各外開孔の周縁に沿って外へと突出し、且つ、前記外プレートの外側の表面に形成される２個の収容部、前記各収容部に相対し、且つ、前記外プレートの内側の表面に陥没状に設置される２個の収容空間、及び前記各収容空間の周囲に形成される定位部を設ける。
前記各収容空間に前記各接合部を収容して包み、前記接合槽と定位部とが密着する。
【考案の効果】
【０００７】
本考案のチェーンは、各収容空間に各接合部が完全に包んで覆われ、同時に定位部は接合槽と緊密に密着し、これにより内、外プレートは相互に接触して設置されるので、全体の強度と伝動の安定性、スムーズ性を大幅に向上させられる他、粉塵の進入を阻害し堆積する欠点を改善でき、使用寿命を確実に延長することができる。
【図面の簡単な説明】
【０００８】
【図１】従来のチェーンの一部を破断した側面図である。
【図２】本考案の実施例を示すチェーンの分解斜視図である。
【図３】本考案の実施例を示すチェーンの一部を破断した側面図である。
【考案を実施するための形態】
【０００９】
以下、本考案の実施例を図面に基づいて詳細に説明する。
図２及び図３に示す通り、本考案のチェーン３は、複数のチェーンユニット３１が連接して構成される。
各チェーンユニット３１は、並列する２個のローラー３１１、各ローラー３１１をそれぞれ通って設置される２個のブッシュ３１２、これら２個のブッシュ３１２間に跨設され、各ブッシュ３１２の両端部外周にそれぞれ枢設される２個の内プレート３１３、及び各ブッシュ３１２及び各内プレート３１３をそれぞれ通って設置される２個のピン３１４を有する。
【００１０】
任意の２個の隣り合うチェーンユニット３１の両側には、２個の外プレート３２を設置する。各外プレート３２は、各ピン３１４に枢接され、しかも任意の２個の隣り合うチェーンユニット３１を跨いで内プレート３１３の外側に位置する。
各内プレート３１３の両端部には、ブッシュ３１２を挿通する２個の内開孔３１３１をそれぞれ設置する。
各内開孔３１３１の周縁に沿って、外へと起立した２個の接合部３１３２を突出する。各接合部３１３２は、内プレート３１３の外側の表面に環状に設置される。また、各接合部３１３２の周囲には、接合槽３１３３を形成する。
【００１１】
各外プレート３２の両端部には、ピン３１４を挿通する２個の外開孔３２１をそれぞれ設置する。
各外開孔３２１の周縁に沿って、外へと突出した２個の収容部３２２を形成する。各収容部３２２は外プレート３２の外側の表面上に設置される。
外プレート３２の内側の表面において、各収容部３２２に相対する位置には、２個の収容空間３２３を陥没状に設置する。また、各収容空間３２３の周囲には、接合槽３１３３と密着する定位部３２４を形成する。
【００１２】
なお、接合部３１３２は、内プレート３１３の両面にそれぞれ突出状に設置するか、或いは外側の表面だけに突出状に設置する。
本実施例では、内プレート３１３の外表面に、各接合部３１３２を突出状に設置し、しかも外プレート３２が内プレート３１３に密着すると、各接合部３１３２と各収容空間３２３が相互に嵌合するようになっている。
【００１３】
図２及び図３に示す通り、各チェーンユニット３１が順番に直列接続されてチェーン３を構成し、各外プレート３２が、任意の２個の隣り合う内プレート３１３の外側にそれぞれ跨設されると、外プレート３２の収容空間３２３は、内プレート３１３の接合部３１３２を完全に収容し、包んで覆う。
同時に、収容空間３２３と接合部３１３２とは密着し、同時に、接合部３１３２の周囲の接合槽３１３３と収容空間３２３の周囲の定位部３２４も密着する。
これにより、外プレート３２は、内プレート３１３の外側に完全に密着し、相互に接触して定位される。
こうして、粉塵を確実に阻害し、及び粉塵の堆積を回避し、また各ピン３１４の回転が阻害されたり、磨耗することがない。
さらに、各内、外プレート３１３、３２は、相互に接触定位して支え合い、チェーン３の全体強度及び伝動時の安定性及びスムーズ性を向上させられ、使用寿命を大幅に延長できる。
【００１４】
上記を総合すると、本考案のチェーンは、各外プレートの収容容間により内プレートの接合部を完全に包んで覆い、同時に各収容空間の周囲の定位部が、各接合部の周囲の接合槽を緊密に接触することで、外プレートは任意の２個の隣り合う内プレートの外側に完全に密着し、同時に外プレートも、各内プレートを効果的に定位する。
これにより、チェーンの全体強度及び伝動の安定性、スムーズ性は確実に向上する。
さらに、空気中の粉塵は進入を妨げられ、粉塵の堆積を回避することで、チェーンの停止或いは磨損を防止し、使用寿命を確実に延長することができる。
【００１５】
以上は、本考案の実施例の説明であって、本考案の権利範囲を限定するものではなく、実用新案登録請求の範囲を逸脱しない変更や修飾はいずれも本考案の権利範囲に含まれる。
【符号の説明】
【００１６】
１        チェーン
１１      チェーンユニット
１２      外プレート
１１１    ローラー
１１２    ブッシュ
１１３    内プレート
１１４    ピン
１２１    凸出部
１１３１  内開孔
１１３２  フランジ
３        チェーン
３１      チェーンユニット
３２      外プレート
３１１    ローラー
３１２    ブッシュ
３１３    内プレート
３１４    ピン
３２１    外開孔
３２２    収容部
３２３    収容空間
３２４    定位部
３１３１  内開孔
３１３２  接合部
３１３３  接合槽
【図１】
0003213702.tif 000003
【図２】
0003213702.tif 000004
【図３】
0003213702.tif 000005